(57)【要約】【課題】機械的機能及び電気的機能の両方が改善され、長期安定性が増大した電磁リレーの提供。【解決手段】電磁リレー（１）は切替えコンタクト（６）及び作動コンタクト（５）を有する。切替えコンタクト（６）は開位置で当接要素（７）と当接する。切替えコンタクト（６）は、スライド要素（１０）を介して切替えコンタクト（６）とは反対側のコイル（２）の他側に配置されたアーマチュア板（３）と相互作用する。当接要素（７）は、切替えコンタクト（６）の接点（１３）の下に配置されると共に開位置で接点（１３）の下で切替えコンタクト（６）に当接する当接面（２４）を有する。当接面（２４）がこの位置にある結果、リレー（１）の起動の改善が達成される。当接要素（７）がこの形態である結果、リレー（１）の有効寿命も長くなる。【選択図】図１
2006173125.tif 000002
【特許請求の範囲】
【請求項１】
コイル、アーマチュア、ヨーク、切替えコンタクト及び作動コンタクトを具備する電磁リレーであって、前記アーマチュアが前記切替えコンタクトと相互作用し、前記切替えコンタクトは開位置において当接要素に当接し、前記コイルに電流が供給されると前記切替えコンタクトは前記開位置から閉位置に移動可能であり、該閉位置において前記切替えコンタクトは前記当接要素から離れる方向に移動して前記作動コンタクトと接触し、前記切替えコンタクト及び前記作動コンタクトは互いに接触する接点を具備する電磁リレーにおいて、
前記切替えコンタクトは、前記開位置において前記接点の下で前記当接要素に当接することを特徴とする電磁リレー。
【請求項２】
前記切替えコンタクトはばねコンタクトの形態をとることを特徴とする請求項１記載の電磁リレー。
【請求項３】
前記作動コンタクトはばねコンタクトの形態をとることを特徴とする請求項１又は２記載の電磁リレー。
【請求項４】
前記切替えコンタクト及び前記作動コンタクトは二連ばねコンタクトとして構成されていることを特徴とする請求項２又は３記載の電磁リレー。
【請求項５】
前記アーマチュアはアーマチュア板の形態をとり、前記コイルの前記切替えコンタクト及び前記作動コンタクトとは反対側に配置されていることを特徴とする請求項１ないし４のうちいずれか１項記載の電磁リレー。
【請求項６】
前記当接要素は傾斜した板の形態をとることを特徴とする請求項１ないし５のうちいずれか１項記載の電磁リレー。
【請求項７】
前記当接要素は、前記切替えコンタクトに関連する当接面を具備し、
該当接面は、前記切替えコンタクトの幅全体にわたって延びていることを特徴とする請求項１ないし６のうちいずれか１項記載の電磁リレー。
【発明の詳細な説明】
【技術分野】
【０００１】
本発明は、請求項１の前提条件項に従った電磁リレーに関する。
【背景技術】
【０００２】
電磁リレーは幅広い実施形態で知られている。例えば、特許文献１は、基部平面を画定する基部と、該基部上に配置され、コイル、コア及びアーマチュアを有する磁石システムとを具備する電磁リレーを開示する。このリレーはまた、１対の常開コンタクト及び少なくとも１対の常閉コンタクトを具備し、各コンタクト対は能動及び受動のばねコンタクトを具備する。各ばねコンタクトは基部に固定され、基部平面に対してほぼ直交して直立し、基部から離れた端部にコンタクト片を有する。アーマチュアに結合され、基部平面に対して移動可能であり、ばねコンタクトと相互作用する作動スライドも設けられている。
【０００３】
図４に図示された電磁リレーも公知である。この公知のリレーは、切替えコンタクト６、作動コンタクト５及び当接要素７を具備するコンタクト構造を有する。当接要素７は、切替えコンタクト６の接点１３と同じ高さに配置された当接面を具備する。この配置の結果、切替えコンタクト６の接点１３は、リレーが開状態の際に当接面７の当接面に当たる。当接要素７が上の位置にあることは、切替えコンタクト６が余るという利点を有する。というのは、当接要素７と当接状態になるのは切替えコンタクト６の接点１３だからである。
【特許文献１】国際特許出願公開第００／２４０１９号明細書
【特許文献２】独国特許第３５４５３５６号明細書
【特許文献３】独国特許出願公開第９７１８５９号明細書
【特許文献４】独国特許出願公開第３８３９８８５号明細書
【特許文献５】独国特許出願公開第１００２７８４号明細書
【発明の開示】
【発明が解決しようとする課題】
【０００４】
本発明は、改善された電気特性を示すリレーを提供することを目的とする。
【課題を解決するための手段】
【０００５】
上述の目的は、請求項１記載のリレーにより達成される。すなわち、コイル、アーマチュア、ヨーク、切替えコンタクト及び作動コンタクトを具備する電磁リレーであって、前記アーマチュアが前記切替えコンタクトと相互作用し、前記切替えコンタクトは開位置において当接要素に当接し、前記コイルに電流が供給されると前記切替えコンタクトは前記開位置から閉位置に移動可能であり、該閉位置において前記切替えコンタクトは前記当接要素から離れる方向に移動して前記作動コンタクトと接触し、前記切替えコンタクト及び前記作動コンタクトは互いに接触する接点を具備する電磁リレーにおいて、前記切替えコンタクトは、前記開位置において前記接点の下で前記当接要素に当接することを特徴とする。
【０００６】
本発明の更に有利な実施形態は従属項に列挙される。
【発明の効果】
【０００７】
本発明のリレーの一利点は、切替えコンタクトが開位置で当接要素と当接状態になり、当接要素は切替えコンタクトの接点の下に配置されることである。電磁リレーの改善された機能は意外にもこのように達成される。切替えコンタクトが接点の下の当接要素と当接する結果、リレーの機械的機能及び電気的機能の両方が改善される。特に、リレーのスイッチング特性が改善される。試験の結果、リレーの長期安定性が30％増大することが明らかになった。
【０００８】
切替えコンタクトは、ばねコンタクトの形態、特に二連ばねコンタクトの形態をとることが好ましい、本実施形態において、切替えコンタクトの開位置でばね金属板が当接要素と当接する。ばね金属板は、一方で所望の弾性作用を与えると共に、他方で切替えコンタクトに必要な十分な機械的強度を与える。
【０００９】
別の一実施形態において、当接要素の傾斜した板部が切替えコンタクトの幅全体にわたって延びている。これにより、切替えコンタクトの当接要素との均一な当接が達成される。この結果、切替えコンタクトの摩耗が少なくなる。
【発明を実施するための最良の形態】
【００１０】
以下、添付図面を参照して本発明を詳細に説明する。
【００１１】
図１は、基部８、コイル２、アーマチュア板３及びヨーク４を実質的に具備する電磁リレー１の斜視図である。アーマチュア板３は、スライド要素１０を介して切替えコンタクト６と相互作用する。切替えコンタクト６は、コイル２のアーマチュア板３とは反対側に配置されている。作動コンタクト５は切替えコンタクト６と関連する。図示の実施形態において、切替えコンタクト６及び作動コンタクト５は、ばねコンタクト、特に二連ばねコンタクトとして構成されている。切替えコンタクト６及び作動コンタクト５はまた、他の実施形態として構成されてもよい。作動コンタクト５及び切替えコンタクト６は、基部８内に挿入されることで基部８に固定される。
【００１２】
アーマチュア板３も基部８内に挿入されるが、回転可能な方法で基部８に固定される。上端領域において、アーマチュア板３は、スライド要素１０のロック開口２６内に挿入されロック接続によりスライド要素１０に接続される突起９を具備する。スライド要素１０は基部８上に載置され、コイル２の縦軸と平行に変位可能となるように基部８上に実装される。スライド要素１０は、ロック開口２６とは反対側の２側縁にそれぞれ軸突起１１を有する。図示の位置において、軸突起１１は切替えコンタクト６の受容開口１２に係合する。受容開口１２は、接点１３の隣の切替えコンタクト６の外側にそれぞれ形成されている。作動コンタクト５も各ばね要素に接点１３を具備する。作動コンタクト５の接点１３及び切替えコンタクト６の接点１３は互いに同じ高さに配置されているので、リレー１が閉状態にある間、作動コンタクト５及び切替えコンタクト６の接点１３同士の当接により電気的に接触する。
【００１３】
リレー１の開位置において切替えコンタクト６が当接する当接要素７はまた、コイル２及び切替えコンタクト６の間に配置されている。当接要素７は当接面２４を具備する。当接面２４は切替えコンタクト６の接点１３の下に構成され、リレー１の開位置において接点１３の下で切替えコンタクト６に当接する。別の一実施形態において、切替えコンタクト６は二連ばねコンタクトの形態をとる。一発展形において、切替えコンタクト６は所定の付勢力で当接要素７に対して付勢される。
【００１４】
切替えコンタクト６の領域において、スライド要素１０は、対向する両側に軸突起１１が構成された枠部２３を具備する。枠部２３は当接要素７上に配置される。当接要素７が低い位置にあることにより、切替えコンタクト６と当接要素７の幅全体との当接が可能であり、また、枠部２３の形成のための十分な空間がある。
【００１５】
図示の実施形態において、当接要素７は傾斜した板の形態をとり、傾斜した板部１４は切替えコンタクト６全体にわたって横方向に延びているので、切替えコンタクト６の幅全体が傾斜した板部１４と当接状態になる。切替えコンタクト６として二連ばねコンタクトである図示の実施形態において、切替えコンタクト６の両ばね要素は当接要素７と当接状態になる。これにより、切替えコンタクト６と均一に当接するので、当接要素７が当たる間、切替えコンタクト６が余る。
【００１６】
ヨーク４は２本のヨークアームを有するＵ形状のヨークとして構成され、第１ヨークアーム（図示せず）はコイルのコアを形成するコイルの中心を通って案内される。第２ヨークアーム２７は当接要素７の領域内でコイル２から導出され、コイル２に沿ってアーマチュア板３の領域内へ案内される。アーマチュア板３は下側領域においてコイル２のコアに接して載置され、上側領域はリレー１の開位置で第２ヨークアーム２７から所定距離の位置で配置される。
【００１７】
次に、電気端子１５を介してコイル２に電流が供給されると、アーマチュア板３の上側領域は第２ヨークアーム２７に向かって引き付けられ、アーマチュア板３はコイル２に向かって回転運動する。回転軸は基部８の領域に配置される。回転運動の結果、スライド要素１０は切替えコンタクト６に向かって移動する。スライド要素１０の移動により、軸突起１１が受容開口１２と係合し、切替えコンタクト６を作動コンタクト５に向かって押圧する。切替えコンタクト６の接点１３は作動コンタクト５の接点１３と機械的に接触するようになる。このため、作動コンタクト５及び切替えコンタクト６間に導電接続が生成される。作動コンタクト５は第１電気端子１６を有し、切替えコンタクト６は、下側が基部８から導出される第２電気端子１７を有する。
【００１８】
電磁コイル２に電流が供給されなくなると、アーマチュア板３はアーマチュアばね（図示せず）により初期位置に戻るよう移動し、この結果、スライド要素１０も初期位置に再度戻る。軸突起１１は受容開口１２から移動するので、弾性的に構成された切替えコンタクト６も初期位置に揺り戻される。切替えコンタクト６は当接要素７に当たり、当接要素７と当接状態になる。
【００１９】
図２は、当接要素７、切替えコンタクト６及び作動コンタクト５の配置を示す斜視図である。この例示において、作動コンタクト５、切替えコンタクト６及び当接要素７は、これら部品がリレー１内で一体化されたのと同じ状態状態で図示されている。当接要素７は実質的に１枚の板の形態をとり、その上縁領域において、傾斜した板部１４が切替えコンタクト６へ向かう方向に一体的に形成される。一体化した状態において、当接要素７の挿入部１８は基部８の基部板に挿入され、基部８に固定される。受容開口１２は湾曲したタブの形態をとり、接点１３の横に形成される。切替えコンタクト６はコンタクト板１９を実質的に含み、第２電気端子１７はコンタクト板１９と一体に形成される。２個のばね要素２０はばね板の形態をとり、上方へ延びると共に横並びに配置され、コンタクト板１９に固定される。
【００２０】
作動コンタクト５は第２コンタクト板２１を含み、第２コンタクト板２１の下側から第１電気端子１６が導出される。ばね板の形態をとる２枚の第２ばね要素２２は、横並びされると共に第２コンタクト板２１を介して上方に導出され、第２コンタクト板２１に固定される。第１及び第２ばね要素２０，２２は互いにほぼ平行に配置され、接点１３は第１及び第２ばね要素２０，２２に固定される。
【００２１】
図３は、作動コンタクト５及び切替えコンタクト６からなるコンタクト構造及び基部８の概略側面である。切替えコンタクト６は当接要素７の当接面２４に当接する。明瞭にするために、リレー１の更なる要素は図３に示していない。図示の位置において、切替えコンタクト６は開位置にあり、この位置では作動コンタクト５及び切替えコンタクト６間に電気的な接触はない。この位置において、切替えコンタクト６は所定の付勢力で当接要素７に当接し、当接要素７は接点１３の下で切替えコンタクト６のばね板２０に直接当接する。
【００２２】
板部１４が切替えコンタクト６の接点１３の下に位置して当接要素７が配置される結果、切替えコンタクト６の起動が改善される。
【図面の簡単な説明】
【００２３】
【図１】本発明に従った電磁リレーを示す斜視図である。
【図２】切替えコンタクト及び作動コンタクトを具備する当接要素を示す斜視図である。
【図３】取り付けられた切替えコンタクト、作動コンタクト及び当接要素を具備する基部を示す側面図である。
【図４】従来技術に従ったリレーを示す斜視図である。
【符号の説明】
【００２４】
１    電磁リレー
２    コイル
３    アーマチュア
４    ヨーク
５    作動コンタクト
６    切替えコンタクト
７    当接要素
１３  接点
１４  傾斜板
２４  当接面
【図１】
2006173125.tif 000003
【図２】
2006173125.tif 000004
【図３】
2006173125.tif 000005
【図４】
2006173125.tif 000006